(57)【要約】【課題】ペニスに容易に装着させることができ、また、アウターとして使用している紙おむつや下着を汚すことなく使用することができる男性用尿吸収物品を提供することを目的とする。【解決手段】その長手方向中央領域近傍において幅方向に延びる折曲部１０に沿って二つ折り可能な積層体３と、積層体３と組み合わされて袋体７を構成し、折曲部１０の上方に位置する部位に開口部５が形成されている表面シート４と、を備える。このため、片手で開口部５を大きく開口させて容易に装着できるとともに、折曲部１０を介して二分割された内部空間のいずれかを適宜選択してペニスを収納することができる。【選択図】図２
2010042198.tif 000002
【特許請求の範囲】
【請求項１】
着用者のペニスに装着されて尿を吸収する男性用尿吸収物品であって、
略シート状の吸収体、前記吸収体の上面を覆う液透過性のトップシート、及び前記吸収体の下面を覆う液不透過性のバックシートを有するとともに、その長手方向の中央領域近傍において前記長手方向に垂直な幅方向に延びる折曲部に沿って前記バックシートを内側にして二つ折り可能な積層体と、
前記トップシートの上面側に配置され、その外周縁部が前記積層体の外周縁部に接合されて前記積層体と共に袋体を構成し、前記折曲部の上方に位置する部位にペニス挿入用の開口部が形成されている液不透過性の表面シートと、
を備えたことを特徴とする男性用尿吸収物品。
【請求項２】
請求項１に記載の男性用尿吸収物品において、
前記積層体の前記折曲部に対応した部分に曲げ応力が集中する折曲案内部を設けたことを特徴とする男性用尿吸収物品。
【請求項３】
請求項２に記載の男性用尿吸収物品において、
前記折曲案内部は、前記幅方向に沿って吸収体が不連続的若しくは連続的に欠落させた部分であることを特徴とする男性用尿吸収物品。
【請求項４】
請求項２に記載の男性用尿吸収物品において、
前記折曲案内部は、前記積層体の前記折曲部に対応した箇所に、幅方向に沿ってエンボス処理を施して形成された連続又は不連続のエンボス線であることを特徴とする男性用尿吸収物品。
【請求項５】
請求項２に記載の男性用尿吸収物品において、
前記吸収体は、前記折曲部に対応した位置に、その坪量が他の坪量よりも低い低坪量部を有しており、
前記低坪量部が前記折曲案内部となっていることを特徴とする男性用尿吸収物品。
【請求項６】
請求項１乃至請求項５のいずれかに記載の男性用尿吸収物品において、
前記袋体の内部空間を形成する隙間を介して前記積層体の上面と対向する液透過性の不織布シートと、
前記表面シートと前記不織布シートとの間に介挿された略シート状の吸収体と、
を更に備えたことを特徴とする男性用尿吸収物品。
【請求項７】
請求項１乃至請求項６のいずれかに記載の男性用尿吸収物品において、
前記積層体及び前記表面シートの前記幅方向の長さが、前記幅方向に延びる前記折曲部から前記長手方向の一方側に向けて、漸次狭くなっていることを特徴とする男性用尿吸収物品。
【請求項８】
請求項１乃至請求項７のいずれかに記載の男性用尿吸収物品において、
前記表面シートに前記幅方向に沿って開口された前記開口部の前記長手方向の一方側の縁部、及び前記長手方向の他方側の縁部それぞれから、前記開口部上で相対向する一対の液不透過性の張出シートを張出し、
前記張出シートの対向面には、接着対象との間で着脱自在な接着層が形成されていることを特徴とする男性用尿吸収物品。
【請求項９】
請求項８に記載の男性用尿吸収物品において、
前記表面シートと前記張出シートとが単一のシートからなることを特徴とする男性用尿吸収物品。
【請求項１０】
請求項８又は請求項９に記載の男性用尿吸収物品において、
前記接着層は、基材に、自己密着性を有する接着材料を塗布した接着部材であることを特徴とする男性用尿吸収物品。
【発明の詳細な説明】
【技術分野】
【０００１】
本発明は、着用者に装着されて尿を吸収する男性用尿吸収物品に関する。
【背景技術】
【０００２】
身体が不自由な高齢者や入院患者、又は、寝たきりの高齢者や入院患者等の排尿処理を容易にするために、使い捨ておむつ等が用いられている。
【０００３】
しかし、使い捨ておむつでは、少量の排尿時であってもおむつ全体を交換する必要があるため、使用者にとって経済的な負担が大きくなってしまう。そこで、従来より、使い捨ておむつの内側に安価な補助吸収具（いわゆる、尿取りパッド等）を取り付けて着用し、少量の排尿時には補助吸収具のみを交換することが行われている。
【０００４】
上記補助吸収具の１つとして、使い捨ておむつや下着の内側において着用者のペニスに装着される男性用吸収パッドが利用されている。
【０００５】
このような従来の男性用吸収パッドについては、例えば、特許文献１に開示されている。
【０００６】
【特許文献１】特開２００４−１５９７２４号公報
【発明の開示】
【発明が解決しようとする課題】
【０００７】
しかしながら、特許文献１に記載の男性用尿吸収物品は、ペニス挿入用開口部にゴム部材が配設され、ゴム部材が伸縮することによりペニスを保持する構成であるため、ペニスを挿入するときには、開口部を両手で広げなければならず装着しづらいという問題があった。
【０００８】
本発明は、上記課題を解決するものであって、ペニスに容易に装着させることができ、また、アウターとして使用している紙おむつや下着を汚すことなく使用することができる男性用尿吸収物品を提供することを目的とする。
【課題を解決するための手段】
【０００９】
上記課題を解決するため、請求項１に係る発明は、着用者のペニスに装着されて尿を吸収する男性用尿吸収物品であって、略シート状の吸収体、前記吸収体の上面を覆う液透過性のトップシート、及び前記吸収体の下面を覆う液不透過性のバックシートを有するとともに、その長手方向の中央領域近傍において前記長手方向に垂直な幅方向に延びる折曲部に沿って前記バックシートを内側にして二つ折り可能な積層体と、前記トップシートの上面側に配置され、その外周縁部が前記積層体の外周縁部に接合されて前記積層体と共に袋体を構成し、前記折曲部の上方に位置する部位にペニス挿入用の開口部が形成されている液不透過性の表面シートと、を備えたことを特徴とする。
【００１０】
請求項２に係る発明は、請求項１に記載の男性用尿吸収物品において、前記積層体の前記折曲部に対応した部分に曲げ応力が集中する折曲案内部を設けたことを特徴とする。
【００１１】
請求項３に係る発明は、請求項２に記載の男性用尿吸収物品において、前記折曲案内部は、前記幅方向に沿って吸収体が不連続的若しくは連続的に欠落させた部分であることを特徴とする。
【００１２】
請求項４に係る発明は、請求項２に記載の男性用尿吸収物品において、前記折曲案内部は、前記積層体の前記折曲部に対応した箇所に、幅方向に沿ってエンボス処理を施して形成された連続又は不連続のエンボス線であることを特徴とする。
【００１３】
請求項５に係る発明は、請求項２に記載の男性用尿吸収物品において、前記吸収体は、前記折曲部に対応した位置に、その坪量が他の坪量よりも低い低坪量部を有しており、前記低坪量部が前記折曲案内部となっていることを特徴とする。
【００１４】
請求項６に係る発明は、請求項１乃至請求項５のいずれかに記載の男性用尿吸収物品において、前記袋体の内部空間を形成する隙間を介して前記積層体の上面と対向する液透過性の不織布シートと、前記表面シートと前記不織布シートとの間に介挿された略シート状の吸収体と、を更に備えたことを特徴とする。
【００１５】
請求項７に係る発明は、請求項１乃至請求項６のいずれかに記載の男性用尿吸収物品において、前記積層体及び前記表面シートの前記幅方向の長さが、前記幅方向に延びる前記折曲部から前記長手方向の一方側に向けて、漸次狭くなっていることを特徴とする。
【００１６】
請求項８に係る発明は、請求項１乃至請求項７のいずれかに記載の男性用尿吸収物品において、前記表面シートに前記幅方向に沿って開口された前記開口部の前記長手方向の一方側の縁部、及び前記長手方向の他方側の縁部それぞれから、前記開口部上で相対向する一対の液不透過性の張出シートを張出し、前記張出シートの対向面には、接着対象との間で着脱自在な接着層が形成されていることを特徴とする。
【００１７】
請求項９に係る発明は、請求項８に記載の男性用尿吸収物品において、前記表面シートと前記張出シートとが単一のシートからなることを特徴とする。
【００１８】
請求項１０に係る発明は、請求項８又は請求項９に記載の男性用尿吸収物品において、前記接着層は、基材に、自己密着性を有する接着材料を塗布した接着部材であることを特徴とする。
【発明の効果】
【００１９】
請求項１〜１０に記載の発明によれば、幅方向に延びる折曲部を中心に男性用尿吸収物品を二つ折りした状態で、折曲部の幅方向両端部に二本の指をかけて、両指を中央に向かうように動かして開口部を大きく開口させて、袋体の一方の内部空間にペニスが収納されるようにそのまま男性用尿吸収物品を動かして装着される。つまり、片手で男性用尿吸収物品の開口部を大きくさせてペニスに装着させることができる。また、男性用尿吸収物品を二つ折りにしたとき、ペニスを収納する空間が折曲部を介して二分割される。したがって、男性用尿吸収物品を装着する際に、容易に装着できるとともに、折曲部を介して二分割された空間のいずれかを適宜選択してペニスを収納することができる。
【００２０】
特に、請求項２に記載の発明によれば、積層体の折曲部に対応した部分に曲げ応力が集中する折曲案内部を設けた。このような構成にすることにより、積層体の折曲性を高めて積層体の折曲を容易にするとともに、折曲状態を安定的かつ継続的に維持することができる。すなわち、折曲状態での折曲部が構造的に弱いことによって、折曲状態から元の自然な状態（略平板状の状態）に戻ろうとする復元力が弱いため、折曲状態の形態保持性を向上させることができる。また、折曲案内部を設けることにより、どこで折り曲げたらよいのか視覚的に認識しやすくなり、装着しやすく／させやすくなる。
【００２１】
特に、請求項６に記載の発明によれば、袋体の内部空間の反対側にも略シート状の吸収体を更に備えた。このような構成にすることにより、尿の吸収量を増加させることができ、また、吸収体はクッション性を有するので、袋体がペニスを収納したとき、更に良好なフィット感が得られる。
【００２２】
特に、請求項７に記載の発明によれば、積層体及び表面シートの幅方向の長さが、幅方向に延びる折曲部から長手方向の一方側に向けて、漸次狭くなっている。このような構成にすることにより、着用者が男性用尿吸収物品を装着したとき、着用者の股部及び大腿部にフィットして、着用者に違和感を与えないと共に、装着した状態において着用者の足の動きを妨げることがないという効果を得ることができる。
【００２３】
特に、請求項８に記載の発明によれば、男性用尿吸収物品を装着する際に、張出シートがペニスの保持手段として機能するとともに、把手手段として着用者若しくは介護者が装着するために掴むことができる。また、張出シートの対向面に、接着対象との間で着脱自在な接着層を形成させることで、一対の張出シートの対向面をペニスの外周に当接させ、対向した張出シート同士を押さえつけることにより、一対の張出シートそれぞれに形成された接着層同士が貼着し、ペニスに当接していない領域の開口部を閉口させてペニスを保持することができる。
【発明を実施するための最良の形態】
【００２４】
以下、本発明の好適な実施形態について、図面を参照しつつ説明する。本実施形態に係る男性用尿吸収物品１は、着用者に着用されるアウター（外装物品、例えば、使い捨ておむつやパンツ）の内側において、着用者のペニス２に装着されて尿を吸収する補助吸収具である。なお、以下の説明では、説明の便宜上、トップシート３１側を「上」若しくは「表」とし、バックシート３２側を「下」若しくは「裏」とする。
【００２５】
男性用尿吸収物品１の構成について、図１及び図２に基づいて説明する。図１は、本発明の一実施形態に係る自然状態（未使用状態）における男性用尿吸収物品１の構成を示す平面図であり、図２は、図１におけるＡ−Ａ断面図、つまり、男性用尿吸収物品１を上下方向に垂直な面で切断した断面図である。本発明に係る男性用尿吸収物品１は、長手方向の寸法Ｐが、長手方向に垂直な幅方向の寸法Ｑよりも大きい男性用尿吸収物品である。男性用尿吸収物品１は、略シート状の積層体３と表面シート４とがその外周縁部同士をホットメルト接着剤等により接合（当該接合部を図では接合部Ｓと表示している）して構成された袋状の補助吸収具であり、表面シート４に形成された開口部５を通して挿入されたペニスを袋体７内の内部空間７ａに収納する構成になっている。なお、図２を含む男性用尿吸収物品１の断面図では、説明の便宜上、積層体３や内部空間７ａを上下方向に広げて図示しているが、実際は上下方向に薄いものである。
【００２６】
＜１．積層体＞
積層体３は、ペニスから排出された尿を吸収して保持する略シート状の吸収体３３と、吸収体３３の上面を覆う液透過性のトップシート３１と、吸収体の下面を覆う液不透過性（難透過性を含む）のバックシート３２とから構成されている。トップシート３１とバックシート３２は、ホットメルト接着剤により吸収体３３の周囲にて相互に接合されている。なお、トップシート３１とバックシート３２との接合（当該接合部を図では接合部Ｔと表示している）は、熱接合や超音波シール等の方法により行われてもよい。ホットメルト接着剤については、ゴム系、ポリオレフィン系、酢酸ビニル系等のホットメルト接着剤から適切に選定して、直接的なコーター塗布、間接的なスパイラル塗布、メルトブロー（カーテンスプレー）塗布、ビード塗布等の方法で塗布する。
【００２７】
トップシート３１は、積層体３の上面を構成するシートであり、後述する表面シート４と空間７ａを介して対向する液透過性のシートである。空間７ａとは、男性用尿吸収物品１の袋体７の内部を構成する空間であり、挿入されたペニス２を収納することができる空間である。
【００２８】
トップシート３１としては、直接着用者（ペニス）の肌に触れるために、肌を必要以上に損なうことなく肌触りの良い点を考慮してこれに適した衛生的な材料が選択され、着用者からの尿を素早く捕捉し、速やかに吸収体３３へ透過させるのに適した液透過性のシートが用いられる。例えば、セルロース、レーヨン、コットン等の親水性繊維を用いた不織布が好ましい。なお、トップシートとして、ポリプロピレン、ポリエチレン、ポリエステル、ポリアミド、ナイロン等の疎水性繊維の表面を界面活性剤により処理して透液性とした不織布を用いることも可能である。
【００２９】
バックシート３２は、積層体３の下面を構成するシートであり、トップシート３１を透過した尿や、一旦吸収体３３に吸収された尿が吸収体３３の内部から外部へしみ出すことを防止する液不透過性のシートである。着用性の観点から、バックシート３２の表面積は、トップシート３１と同一であることが望ましい。
【００３０】
バックシート３２としては、一般的に衛生材料からなる液不透過性のシートが用いられる。例えば、ポリプロピレン、ポリエチレン、ポリエステル、ポリアミド、ナイロン等疎水性繊維を用いた撥水性の不織布が用いられる。なお、撥水性または不透液性のプラスチックフィルムや、上記不織布とプラスチックフィルムとの複合材料等がバックシート３２として利用されてもよい。この場合、着用者の快適性の観点からは、透湿性（すなわち、通気性）を有して水蒸気を透過させて蒸れを防止でき、ある程度可撓性を有するプラスチックフィルムが利用されることが好ましい。
【００３１】
吸収体３３は、トップシート３１を透過してきた尿を吸収して保持する役割を果たす。したがって、液体吸収性に優れる材質のものであれば使用することができ、このような吸収体３３としては、親水性繊維（例えば、粉砕したパルプ繊維やセルロース繊維）の集合体に粒状の吸水性ポリマーを混合したものをティッシュペーパーや透液性不織布等の被覆シートにより包み込んで形成され、トップシート３１を透過した尿を吸収して迅速に保持・固定する。親水性繊維を包む被覆シートは、親水性繊維および吸水性ポリマーとホットメルト接着剤により接合されて、親水性繊維の型崩れ、および、吸水性ポリマーの脱落（特に、吸水後における脱落）を防止する。また、略平行に相対向する二枚の液透過性シートの対向面に接着剤等を塗布し、層状の吸収性ポリマー（ポリマー層）を挟み込んで固定した略シート状吸収体を利用することもできる。この場合、ポリマー層は、長手方向に延びる略矩形状の層であり、幅方向に間隔をおいて複数配列している。ポリマー層の非存在領域においては、二枚の液透過性シート同士が接合され封止されている。
【００３２】
＜２．表面シート＞
表面シート４には、ペニスを挿入する開口部５が形成されている。表面シート４としては、男性用尿吸収物品１を着用者が装着したとき、表面シート４の上面４ａが、着用者の下腹部４０、股部及び大腿部４１に当接する（図８参照）、すなわち、着用者の肌に触れることになるので、快適な着用感を考慮すると、肌触り感がよく衛生的な材料からなる可撓性かつ液不透過性のシートを用いることが望ましい。例えば、ポリプロピレン、ポリエチレン、ポリエステル、ポリアミド、ナイロン等疎水性繊維を用いた撥水性の不織布が用いられる。なお、撥水性または不透液性のプラスチックフィルムや、上記不織布とプラスチックフィルムとの複合材料等が表面シート４として利用されてもよい。この場合、着用者の快適性の観点からは、透湿性（すなわち、通気性）を有して水蒸気を透過させて蒸れを防止でき、ある程度可撓性を有するプラスチックフィルムが利用されることが好ましい。また、スパンボンド不織布、メルトブロー不織布、ＳＭＳ不織布等の撥水性不織布材料を用いることも可能である。
【００３３】
＜３．折曲部＞
次に、男性用尿吸収物品１を折曲する構成について、図１乃至図３に基づいて説明する。図３は、男性用尿吸収物品を折曲部１０を介して折曲したときの断面図である。積層体３には、積層体３の長手方向の中央領域近傍において、幅方向に延びる折曲部１０が設けられている。折曲部１０とは、積層体３の長手方向の中央領域近傍において幅方向に延びる仮想折曲軸Ｏに沿って積層体３を折曲することができる積層体の部位のことであり、折曲部１０に沿って積層体３（ひいては男性用尿吸収物品１）を山折りに折曲することによって、図３に示すように、バックシート３２を内側にして二つ折りした状態にすることができる。なお、幅方向に延びる折曲部１０を中心に男性用尿吸収物品１を二つ折りにしたとき、図２の平板状の自然状態から、図３に示すように、ペニス２を収納する空間７ａが仮想折曲軸Ｏを介して二分割される。このとき、二分割された空間を有する袋体をそれぞれ、第１袋体７１及び第２袋体７２とする。したがって、男性用尿吸収物品１を装着する際に、男性用尿吸収物品１を折曲部１０に沿って二つ折りにして、ペニス２を開口部５を介して第１袋体７１内の空間７１ａ若しくは第２袋体７２の空間７２ａのいずれかに選択的に収納することができる。
【００３４】
また、本実施形態に係る男性用尿吸収物品１は、図１及び図２に示すように、積層体３の折曲部１０に対応した部位に曲げ応力を集中させる折曲案内部１０１を備えている。本実施形態では、折曲部１０に対応した部位の吸収体３３を連続的に欠如させることによって折曲案内部１０１を設けている。折曲案内部１０１を設けることによって、積層体３の折曲性を高めて容易に積層体３（ひいては男性用尿吸収物品１）を折曲することができる。詳しくは、幅方向に延びる折曲部１０に構造的に弱い領域を形成することにより、折曲部１０に曲げ応力が集中する折曲案内部１０１が設けられている。本実施形態に係る折曲案内部１０１は、種々の形態によって実現され、例えば、折曲部１０に対応する位置の積層体３若しくは吸収体３３をスリット加工やエンボス加工することにより実現される。このような構成にすることにより、積層体３の折曲を容易にするとともに、折曲状態を安定的かつ継続的に維持することができる。すなわち、折曲部１０が構造的に弱いことによって、折曲状態から元の自然な状態（略平板状の状態）に戻ろうとする復元力が弱いため、折曲状態の形態保持性を向上させることができる。なお、折曲案内部１０１を設けることにより、どこで折り曲げたらよいのか視覚的に認識しやすくなり、装着しやすく／させやすくなる。
【００３５】
なお、積層体３内において、何らかの要因で吸収体３３が存在する領域から吸収体を欠落させた領域内へ吸収体３３がずれて入ってしまって、折曲部１０に集中する曲げ応力が分散してしまわないように、吸収体３３を欠落させた領域のトップシート３１とバックシート３２とをホットメルト接着剤等により上下方向に接合していることが望ましい（図２において、当該接合部を接合部Ｕと表示している）。
【００３６】
また、男性用尿吸収物品１の形状について、長手方向のほぼ全長に亘ってほぼ一定（例えば、平面視矩形状）にすることもできるが、以下のような形状にすることが望ましい。詳しくは、男性用尿吸収物品１の第１袋体７１若しくは第２袋体７２の少なくとも一方の袋体の幅方向の長さ（その袋体を構成する積層体３及び表面シート４の幅方向の長さ）が、幅方向に延びる折曲部１０から長手方向の一方側に向けて漸次に狭くなるように構成する。本実施形態では、第１袋体７１の幅方向の長さ（第１袋体７１を構成する積層体３及び表面シート４の幅方向の長さ）が、折曲部１０から長手方向一方側に向けて漸次に狭くなるようにしている。このとき、第１袋体７１の形状は、図１に示されているように、平面視略台形状になっている。この形状は、着用者の股部及び大腿部４１の内側面に沿って当接し、男性用尿吸収物品１が着用者の身体形状にフィットし易い形状である。このため、股部及び大腿部４１に当てる男性用尿吸収物品１の部分、つまり、第１袋体７１を略台形状にしたことにより、平面視略台形状の第１袋体７１内の内部空間７１ａにペニス２を挿入・収納し、第１袋体７１を着用者の股部及び大腿部４１に、第２袋体７２を着用者の腹部４０にそれぞれ当てて、着用者が男性用尿吸収物品１を装着したとき、着用者の股部及び大腿部４１にフィットして、着用者に違和感を与えないと共に、装着した状態において着用者の足の動きを妨げることがないという効果を得ることができる。
【００３７】
なお、男性用尿吸収物品１の形状については、上記効果を得ることができる範囲内で、かつ、第１袋体７１内の吸収体３３の吸収面積が十分確保される程度であればよい。例えば、上記実施形態では、着用者の股部に当てる第１袋体７１の形状を平面視略台形状としたが、略三角形状や略楕円形状等にすることも可能である。
【００３８】
＜４．開口部及びその付近の構成について＞
＜４−１．開口部＞
次に、表面シート４に形成されたペニス挿入用開口部５及びその付近の構成について、図１、図２、図４、図５に基づいて説明する。図４は、張出シートが起倒軸を中心に起倒自在であることを示した断面図であり、図５は、張出シートと接着層の断面図である。
【００３９】
本実施形態に係る開口部５は、図２に示すように、積層体３の幅方向に延びる折曲部１０の上方近傍に位置する表面シート４の部位に形成されている。
【００４０】
詳細は後述するが、本実施形態に係る開口部５は、男性用尿吸収物品１製造の段階等で、開口部５の幅方向の寸法を必要最小限の大きさに予め設定しておく必要がなく、開口部５に設けられた相対向する一対の張出シート２５の対向面２５ａに形成された接着層３０を利用して開口部５の大きさを調節することにより、ペニスを保持できる。なお、以下の説明では、説明の便宜上、開口部５の幅方向の寸法は、図１に示すように、男性用尿吸収物品の幅方向と同一、若しくはそれよりも若干小さい程度に設定する。なお、自然状態での開口部５は、閉口状態に限定されず、やや開口している状態も含む。表面シート４に開口部５を形成させる方法としては、図１のように、二枚の表面シート４を折曲部１０の上方近傍に位置する所で互いに隙間を介して突き合わせて開口部５を形成する方法でも、表面シート４の所定の位置に開口部５を開口させる方法でもよい。
【００４１】
＜４−２．張出シート＞
また、本実施形態では、図１及び図２に示すように、表面シート４に幅方向に延びる開口部５において、開口部５の長手方向一方側の縁部５ａ、及び、長手方向他方側の縁部５ｂそれぞれから、開口部５上で相対向する一対の液不透過性の張出シート２５１・２５２（その総称として２５とする）が張り出されている。張出シート２５１若しくは２５２は、張出シート２５１若しくは２５２の付け根部分である開口部の縁部５ａ若しくは５ｂを起倒軸として、起倒自在に支承されている。例えば、略平板状の自然状態においては、図６に示すように、開口部縁部５ａ若しくは５ｂを中心に、張出シート２５は略１８０度回動可能、すなわち、長手方向両側に起倒可能である（図４では、張出シート２５１が開口部縁部５ａを起倒軸として起倒自在に支承されている様子を図示している）。このような構成にすることにより、張出シート２５を男性用尿吸収物品１の折曲に合わせて適宜折曲することができ、嵩張ることなく保管しておくことができる。
【００４２】
また、張出シート２５の長手方向の寸法Ｒは、張出シート２５が、ペニス２の保持手段として、及び、着用者若しくは介護者が掴むことができる把手手段としての機能を奏するのに十分な大きさを有するように設定する。
【００４３】
なお、張出シート２５と表面シート４とは、それぞれ別体のシートでもいいし、張出シート２５と表面シート４とが単一のシートから構成されててもよい。
【００４４】
＜４−３．接着層＞
また、相対向する一対の張出シート２５１・２５２の対向面２５１ａ・２５２ａそれぞれ（その総称として２５ａとする）には、接着対象との間で着脱自在な接着層３０が形成されている。本実施形態に係る接着層３０は、図５に示すように、基材シート３０１と、基材シート３０１の一方の面に形成された接着剤層３０２と、必要に応じて接着剤層３０２の上に設けられる剥離シート３０３とから構成されている。基材シート３０１の他方の面を張出シート２５の対向面２５ａに貼着させておき、使用に際しては、剥離シート３０３が設けられている場合には、剥離シート３０３を剥がし、対向する接着剤層３０２・３０２同士を貼り合わせる。
【００４５】
本実施形態に係る接着層３０は、基材シート３０１の一方の面に特定の接着剤層３０２を有するものであって、基材シート３０１としては、接着層３０の基材シート３０１として慣用されているものの中から、任意のものを適宜選択して用いることができる。基材シート３０１としては、例えば上質紙、グラシン紙、コート紙、無塵紙などの紙類、ポリエステル（例えばポリエチレンテレフタレート、ポリブチレンテレフタレート、ポリエチレンナフタレート、）、ポリオレフィン（ポリプロピレン、ポリエチレン、）、ポリ塩化ビニル、ポリ塩化ビニリデン、ポリスチレン、ポリカーボネート、ポリビニルアルコール、ポリウレタン、アクリル系樹脂、オレフィン系（ＴＰＯ）、ポリウレタン系、ポリスチレン系等の熱可塑性エラストマー、アイオノマー、エチレン−メタクリル酸共重合体などのプラスチックシート、セルローストリアセテート、セルロースジアセテート、セロハンなどのセルロース系シートなどが挙げられる。
【００４６】
また、基材シート３０１として、伸縮部材を用いることができる。伸縮部材の形成材料は、例えば熱可塑性エラストマー、プラスチックシート、ゴムシート等の伸縮性を有する公知の種々のものを使用することができるが、特に熱可塑性エラストマーを使用することが好ましい。この熱可塑性エラストマーとしては、例えばスチレン系エラストマー、オレフィン系エラストマー、アイオノマー樹脂、シリコーン系樹脂等の公知の種々のものを用いることができる。また、これらの熱可塑性エラストマーの中でも、特にスチレン系エラストマー又はオレフィン系エラストマーを用いることが好ましい。
【００４７】
また、これらの伸縮性部材は、その表面及び／又は裏面に不織布が配設されていることが好ましい。この不織布を構成する素材繊維としては、例えばポリプロピレン（ＰＰ）、ポリエチレン（ＰＥ）、ナイロン、ポリエステル（ＰＥＴ等）、アクリル等や、ＰＰ／ＰＥ混合不織布、ＰＥ／ＰＥＴ混合不織布など上記素材を適宜組み合わせたバイコンポーネント繊維（混合繊維）等の公知の種々の素材繊維を用いることができる。また、このような素材繊維から不織布を製造する方法としては、例えばケミカルボンド法、サーマルボンド法、スパンレース法、スパンボンド法、メルトブローン法、ニードルパンチ法等、公知の種々の加工法を適宜用いることができる。
【００４８】
接着剤層３０２を構成する接着剤としては、従来、基材シートの接着剤層に慣用されているもの、例えば、アクリル系粘着剤、ゴム系粘着剤、シリコーン系粘着剤等を使用することができるが、好ましくは、微粘着性の材料であることが望ましい。微粘着性材料としては、例えば、ウレタン系樹脂、アクリル系樹脂、塩化ビニル系樹脂、スチレン?ブタジエン共重合体及びこれらの混合物などの熱可塑性樹脂が挙げられる。また、非粘着性樹脂に粘着付与剤や粘着剤などを適宜配合して、微粘着性を付与してもよい。
【００４９】
本実施形態に係る接着層３０には、接着剤層３０２に剥離シート３０３が貼着されている。剥離シート３０３としては、例えば、グラシン紙、上質紙、コート紙、ポリエチレンラミネート紙等の紙材、又は、ポリエチレンテレフタレート、ポリエチレン、ポリプロピレン等のプラスチックフィルムに、シリコーン樹脂、フッ素樹脂、長鎖アルキル系樹脂等の剥離剤を塗布したものが用いられる。
【００５０】
また、接着層３０として、基材シート３０１に、自己密着性を有する接着材料を塗布した接着部材を用いることができる。自己密着性（いわゆる自着性）とは、被着材に対して弱く接着し、接着面同士においては強く接着する特性のことをいい、例えばスチレン−イソプレン−スチレンブロック共重合体から成るベースポリマーに、粘着付与剤と添加剤とが配合されたもの等がある。また、接着面同士にのみ接着し、それ以外の被着材には接着しない非粘着自着性を有する接着部材を用いることもできる。なお、本実施形態で使用される自着性材料としては、公知の種々のものを使用することができる。
【００５１】
＜５．装着する手順＞
次に、本実施形態に係る男性用尿吸収物品１を装着する手順について説明する。
【００５２】
本実施形態における自然状態とは、張出シート２５１・２５２は互いに対向した状態ではなく、張出シート２５１・２５２それぞれが第１袋体７１若しくは第２袋体７２それぞれの表面に略当接した状態で、かつ、男性用尿吸収物品が略平板状の状態をいう。装着に際しては、自然状態の男性用尿吸収物品１を、折曲部１０を介して二つ折り（山折り）にして、男性用尿吸収物品１の第１袋体７１側を着用者に向ける。
【００５３】
次に、男性用尿吸収物品１を二つ折りにした状態で、折曲部１０の幅方向両端部１０ａ・１０ｂに二本の指をかけて、例えば、片手の親指を折曲部１０の幅方向一方側端部１０ａに、中指を折曲部１０の幅方向他方側端部１０ｂにそれぞれ当接させて、両指を幅方向中央に向かうように動かして近づける、つまり、折曲部１０の幅方向中央に向かう力Ｆを加えることにより、開口部５は大きく開口する（図６参照）。
【００５４】
次に、ペニス２を開口部５から第１袋体７１の内部空間７１ａに挿入・収納して、当該内部空間７１ａにある程度まで挿入・収納した段階で、両指を離して開口部５の縁５ａ・５ｂがペニス２の外周に挟持するように当接させると同時に、張出シート２５１及び２５２を起倒させて互いに対向した状態にする。張出シート２５１の対向面２５１ａ、及び張出シート２５２の対向面２５２ａをペニス２の外周を当接させ、対向した張出シート２５１・２５２同士を押さえつけることにより、張出シート２５１の対向面２５１ａ、及び張出シート２５２の対向面２５２ａそれぞれに形成された接着層３０・３０同士が貼着し、ペニス２に当接していない領域の開口部を閉口させる（図７参照）。
【００５５】
次に、男性用尿吸収物品１を二つ折りの状態から、図８に示すように、略平板状の自然な状態に戻す。この後、男性用尿吸収物品１をなす第１袋体７１及び第２袋体７２はそれぞれ、第１袋体７１は着用者の股部及び大腿部４１に、第２袋体７２は着用者の下腹部４０にそれぞれ当接される。
【００５６】
次に、男性用尿吸収物品１を装着した状態で、紙おむつ等のアウターを身につける。
【００５７】
なお、男性用尿吸収物品１を取り外す手順は、上述した装着方法と逆の手順で行われる。
【００５８】
＜６．変形例＞
以上、本発明の一実施形態について説明したが、本発明は上記の実施形態に限定されるものではない。例えば、図１に示されているように、張出シート２５の対向面２５ａの幅方向のほぼ全面に接着層３０を形成している構成を図示したが、これに限定されず、張出シート２５の対向面２５ａに部分的に接着層３０を形成する構成にすることもできる。詳しくは、図９に示すように、張出シート２５の対向面２５ａにおいて、接着領域２５ｂと非接着領域２５ｃとを設ける構成にする。例えば、張出シート２５の対向面２５ａにおいて、幅方向中央領域近傍をペニスの当接面とし、当該当接面を非接着領域２５ｃとし、当該非接着領域２５ｃの幅方向両隣接領域を接着領域２５ｂとする。なお、図９では、張出シート２５１の接着領域を２５１ｂ、非接着領域を２５１ｃ、張出シート２５２の接着領域を２５２ｂ、非接着領域を２５２ｃとし、接着領域２５１ｂ、２５２ｂに接着層３０がそれぞれ形成されている。このような構成にすることにより、二つ折りにした男性用尿吸収物品１の開口部５にペニス２を挿入して、相対向する張出シート２５１・２５２の間にペニス２を挟持させ、ペニス２が当接していない領域（つまり、接着層３０が形成されている接着領域２５ｂ）の張出シート２５１・２５２同士を接着させることで、ペニス２を間接的に保持することができる。
【００５９】
また、吸収体３３を積層体３にだけでなく、表面シート４側にも備えてもよい。詳しくは、図１０に示されているように、袋体７の内部空間７ａを形成する隙間を介して積層体３の上面と対向する液透過性シート６と、当該液透過性シート６と表面シート４との間に略シート状の吸収体３３を介装させている。液透過性シート６と表面シート４とは、ホットメルト接着剤等により吸収体３３の周囲にて接合されている。なお、この液透過性シート６の材料は、トップシート３１と同一の材料を用いることができる。このような構成にすることにより、尿の吸収量を増加させることができ、また、吸収体３３はクッション性を有するので、袋体７の内部空間７ａにペニス２を収納したとき、更に良好なフィット感が得られる。
【００６０】
また、上記実施形態では、折曲部１０に対応した部位の吸収体３３を連続的に欠如させることによって折曲案内部１０１を設けていたが、吸収体３３を不連続的に欠如させることによって折曲案内部１０１を設けることもできる。例えば、折曲部１０に対応した部位の吸収体３３が存在する領域と吸収体３３を欠落させた領域とがミシン目状に幅方向に交互に配列させる構成や、図１１に示すように、吸収体３３の幅方向両外端部から幅方向内方へ所定の長さの領域の吸収体を欠落させた、いわゆるスリット１０１ａを設けた構成が挙げられる。ここでいう「所定の長さ」とは、折曲部に対応した部分に曲げ応力を集中させることができる折曲案内部としての機能を奏するのに十分な長さのことである。
【００６１】
また、折曲案内部１０１の他の形態として、折曲部１０に対応した位置の吸収体３３の坪量が、当該位置の長手方向両隣接部の吸収体３３の坪量よりも低い低坪量部を有し、その低坪量部を折曲案内部１０１とすることもできる。当該領域の吸収体３３の坪量は、その長手方向両隣接部の部位における吸収体３３の坪量の１／２以下、特に１／３であることが好ましい。なお、折曲部１０に対応した位置の吸収体３３において、坪量が高い領域と坪量が低い領域とを更に幅方向に設ける構成にしてもよい。
【００６２】
また、折曲案内部１０１の他の形態として、積層体３の折曲部１０に対応した部位に、幅方向に沿ってエンボス処理を施し、形成された連続又は不連続のエンボス線１０１ｂを折曲案内部１０１とすることもできる。図１２では、折曲部１０の延びる方向に沿って、積層体３のトップシート３１側にエンボス処理を施し、不連続のエンボス線１０１ｂを形成している。
【００６３】
なお、エンボス処理は、ヒートシール、超音波シール等の熱が加わるエンボス処理であることが好ましいが、加圧のみのエンボスであっても良い。なお、本実施形態では、積層体３のトップシート３１側の面にエンボス処理を施したが、積層体３のバックシート３２側の面にもエンボス処理を施すことも可能である。
【００６４】
なお、折曲案内部１０１は、上述した実施形態に限定されず、本発明の趣旨を逸脱しない範囲で種々変更することが可能である。例えば、上記実施形態に係る折曲案内部１０１は、幅方向に延びる仮想折曲軸Ｏと平行に形成されていたが、本発明に係る折曲案内部１０１は、仮想折曲軸Ｏと平行に形成する他に、仮想折曲軸Ｏに対して多少の角度を有するように形成しても良い。
【００６５】
また、図示していないが、開口部５を安定して開口させるために、開口部５近傍に幅方向に延びる補強シートを貼着させてもいい。補強シートの材料は、ポリエチレン等のプラスチックフィルム等が用いられ、ある程度の強度を有し、かつ、少なくとも幅方向に対する可撓性を有する材料であればよい。補強シートを設けることにより、上記実施形態の開口部５の開口方法で、折曲部１０の幅方向両端部１０ａ・１０ｂそれぞれに指を当接させて、両指を幅方向中央に向かうよう動かして開口部５を大きく開口させていたが、補強シートを設けたことで、幅方向にある程度の強度を持たせることができるので、安定して指で挟むことができ、容易に開口できるようになる。
【００６６】
なお、補強シートの貼着位置としては、張出シート２５を設けている場合と設けていない場合とで異なる。詳しくは、張出シート２５が設けられていない場合では、開口部５の長手方向一方側の縁部５ａ及び他方側の縁部５ｂそれぞれに幅方向に延びる補強シートを貼着させる。また、張出シート２５が設けられている場合では、張出シート２５の一方の面（接着層３０が形成されている対向面２５ａとは反対の面）に、幅方向に延びる補強シートを貼着する。なお、張出シート２５の対向面２５ａに貼着されている剥離シート３０３を補強シートとして利用してもよい。
【００６７】
また、開口部５の長手方向の縁部５ａ・５ｂそれぞれから、開口部５上で相対向する一対の張出シート２５１・２５２が張り出されているが、張出シート２５１・２５２の幅方向一方端部同士、及び幅方向他方側端部同士をホットメルト接着剤等により接合して、一つの中空円筒形状の張出シートとする構成にすることもできる。
【００６８】
上記実施形態では、ペニス２を第１袋体７１内に挿入・収納し、第１袋体７１を着用者の股部及び大腿部４１の内側面に当接させていたが、着用者の腹部４０に当接させている第２袋体７２にペニス２を挿入・収納することもできる。したがって、着用者は、下腹部４０に当てている第２袋体７２、又は、股部及び大腿部４１に当てている第１袋体７１のいずれかを選択してペニス２を挿入・収納でき、ペニス２の向きを着用者に合った向きに固定しておくことができる。
【００６９】
なお、本実施形態に係る男性用尿吸収物品１は、折曲部１０に沿って谷折りに折曲することも可能である。このため、着用者が男性用尿吸収物品１を装着して尿を排出した使用後、取り外したとき、男性用尿吸収物品１の開口部５を上にして、折曲部１０に沿って谷折りに折曲することにより、開口部５が閉じられて吸収体３３に吸収・保持された尿が外部に漏れることなく、コンパクトに折り畳んで処分することができる。
【００７０】
また、上記実施形態では、張出シート２５を備えた構成について記載したが、その長手方向中央領域近傍において幅方向に延びる折曲部１０に沿って二つ折り可能な積層体３と、積層体３と袋体７を構成し、折曲部１０の上方に位置する部位に開口部５が形成されている表面シート４と、を備え、片手で開口部５を大きく開口させて容易に装着できるとともに、折曲部１０を介して二分割された空間のいずれかを適宜選択してペニスを収納することができるのであれば、いかなる変形例も可能である。
【図面の簡単な説明】
【００７１】
【図１】本発明の一実施形態に係る自然状態における男性用尿吸収物品の構成を示す平面図である。
【図２】図１におけるＡ−Ａ断面図である。
【図３】男性用尿吸収物品を折曲部を介して折曲したときの断面図である。
【図４】張出シートが起倒軸を中心に起倒自在であることを示した断面図である。
【図５】張出シートと接着層の断面図である。
【図６】装着するために開口部を大きく開口させている男性用尿吸収物品の断面図である。
【図７】張出シート同士を接着させてペニスを保持している様子を説明する斜視図である。
【図８】男性用尿吸収物品を装着したときの断面図である。
【図９】その他の実施形態に係る自然状態における男性用尿吸収物品の構成を示す平面図である。
【図１０】表面シート側にも吸収体を設けた男性用尿吸収物品の断面図である。
【図１１】男性用尿吸収物品の吸収体にスリットをいれた場合の平面図である。
【図１２】エンボス加工した折曲案内部及びその付近の構成を示す斜視図である。
【符号の説明】
【００７２】
１  男性用尿吸収物品
２  ペニス
３  積層体
４  表面シート
５  開口部
７  袋体
７ａ  内部空間
７１  第１袋体
７１ａ  内部空間
７２  第２袋体
７２ａ  内部空間
１０  折曲部
１０１  折曲案内部
２０  開口部
２５  張出シート
２５ａ  対向面
２５ｂ  接着領域
２５ｃ  非接着領域
３０  接着層
３０１  基材シート
３０２  接着剤層
３０３  剥離シート
Ｏ  仮想折曲軸
【図１】
2010042198.tif 000003
【図２】
2010042198.tif 000004
【図３】
2010042198.tif 000005
【図４】
2010042198.tif 000006
【図５】
2010042198.tif 000007
【図６】
2010042198.tif 000008
【図７】
2010042198.tif 000009
【図８】
2010042198.tif 000010
【図９】
2010042198.tif 000011
【図１０】
2010042198.tif 000012
【図１１】
2010042198.tif 000013
【図１２】
2010042198.tif 000014